(57)【要約】      （修正有）【課題】挿入により２つの管を締結する管接合において、２つの管の相対的角度を容易に位置決めし、組み付け時に管が抜けにくい管接合構造を提供する。【解決手段】管端部からのストレート部に隣接してバルジ部３が形成された第１の管１が、管端部にバルジ部に対応する形状の折返し部４が全周に形成された第２の管２に内挿され、バルジ部が折返し部に当接され、バルジ部及び折返し部の外周を覆うように締結部材２０により両部位が締め付けられ、第１の管と第２の管が密着固定される管接合構造において、第１の管に端部から管軸方向に向けて溝部１１を形成し、第２の管に溝部に勘合可能な突起部１３を形成し、また溝部中間部に所定の形状の抜け抑止形状を形成した。抜け抑止形状は、溝幅が突起部幅より小さめの狭隘部を設定し、狭隘部への溝幅の変化を、管挿入方向には緩やかに、管抜け方向には急激になるよう設定した。【選択図】図２
0003215809.tif 000002
【実用新案登録請求の範囲】
【請求項１】
管端部から所定のストレート部に隣接して全周に渡るバルジ部が形成された第１の管が、管端部に前記バルジ部に対応する形状の折返し部が全周に形成された第２の管に内挿され、前記バルジ部が前記折返し部に直接又はシール材を介して当接され、当該バルジ部及び当該折返し部の外周を覆うように構成された締結部材により両部位が締め付けられ、前記第１の管と前記第２の管の前記当接部が密着固定されるよう構成された管接合構造であって、
前記第１の管に端部から管軸方向に向けて溝部が形成され、前記第２の管に当該溝部に勘合可能な突起部が管内部方向に向けて形成されていること、
を特徴とする管接合構造。
【請求項２】
前記溝部の中間部分には、更に当該突起部の抜け抑止形状が形成されたこと、
を特徴とする請求項１に記載の管接合構造。
【請求項３】
前記突起部の抜け抑止形状は、前記溝部中間部において溝幅を前記突起部幅と同一又は小さめの幅へ狭めた狭隘部を設定するとともに、当該狭隘部への溝幅の変化を、管挿入方向においては緩やかに、かつ管抜け方向においては急激になるよう設定したこと、
を特徴とする請求項２に記載の管接合構造。
【考案の詳細な説明】
【技術分野】
【０００１】
本考案は管接続部の構造に関するもので、一方の管を他方の管に挿入する部分の周り止めおよび抜け防止構造の工夫に関する。
【背景技術】
【０００２】
自動車の排気管など、２つの管を接続する部分においては２つの管の端部にフランジを接合してボルト・ナットで接合する方法や、２つの管の端部を互いに挿入し両配管に形成したバルジ状の部分をバンドで締結する方法などが実施されている。
【０００３】
近年では低燃費化目的の車両の軽量化や作業性の改善などの要求から、管の端部を互いに挿入し接合する、少ない部品で２つの管を接合する図６に示すような方法が提案されている。
【０００４】
この方法では接合部分において第１の管と第２の管を互いに挿入させることにより機械的な接合させるが、予め第１の管の端部から所定の位置にバルジ加工を施し、第２の管の端部にカール加工を施す。第１の管を第２の管に内挿し、当該バルジ加工部を当該カール加工部に当接させた後、両加工部が互いに密着するような力を発生させるような形状の締結部材により両加工部を締結させることにより２つの管を接合する。
【０００５】
２つの管の端部にフランジを接合し、両フランジを２点以上のボルト締結などで接合する方法に比べ部品点数が少なく締結箇所も少なくてすむためコストダウン、作業工数の低減が図れるとされる。また特許文献１には第１の管のバルジ加工部裾部と第２の管のカール加工先端部が密着することにより、パッキンなどを用いることなく優れたシール性が発揮されるとの効果が記されている。（段落００１４）
【先行技術文献】
【特許文献】
【０００６】
【特許文献１】特開２００５−１９５１０１公報
【考案の概要】
【考案が解決しようとする課題】
【０００７】
しかしこの方法では２つの管の相対的な回転方向を位置決めする手段が無いため、正確な組みつけが難しい。また組み付けの際挿入部分が抜けやすく、作業者は締結部材で締め付ける間２つの管が互いに抜けないよう保持しておく必要があるため作業効率が悪い、といった問題があった。
【０００８】
本考案はこのような問題点を解決するためになされたものであり、一方の管を他方の管に挿入して締結部材を用いて互いに締結させる管接合において、２つの管の回転方向の位置を拘束する手段と、締結部材を締め付ける際に２つの管が抜けないよう抜け防止手段を設け、作業効率を向上させることを課題とする。
【課題を解決するための手段】
【０００９】
本考案では以下の手段により前記課題を解決した。
まず請求項１に係る考案は、管端部から所定のストレート部に隣接して全周に渡るバルジ部が形成された第１の管が、管端部に前記バルジ部に対応する形状の折返し部が全周に形成された第２の管に内挿され、前記バルジ部が前記折返し部に直接又はシール材を介して当接され、当該バルジ部及び当該折返し部の外周を覆うように構成された締結部材により両部位が締め付けられ、前記第１の管と前記第２の管の前記当接部が密着固定されるよう構成された管接合構造であって、前記第１の管に端部から管軸方向に向けて溝部が形成され、前記第２の管に当該溝部に勘合可能な突起部が管内部方向に向けて形成されていること、を特徴とする。
【００１０】
第１の管の端部に形成した溝部に、第２の管の端部に形成した突起部を挿入しながら第１の管を第２の管に内挿するため、互いの回転方向が拘束され簡単かつ確実に相互の回転方向の位置決めが出来る。
【００１１】
次に請求項２に係る考案は請求項１に係る考案の構成に加え、前記溝部の中間部分には更に当該突起部の抜け抑止形状が形成されたこと、を特徴とする。
【００１２】
本考案では前記溝部の中間部分に突起部の抜け抑止形状を設けたので作業者が締結部材の締め付け作業を行う間、２つの管が抜けないよう把持する必要がなく作業性が向上する。
【００１３】
次に請求項３に係る考案は、前記突起部の抜け抑止形状として、前記溝部中間部において溝幅を前記突起部幅と同一又は小さめの幅へ狭めた狭隘部を設定するとともに、当該狭隘部への溝幅の変化を、管挿入方向においては緩やかに、かつ管抜け方向においては急激になるよう設定したこと、を特徴とする。
【００１４】
第１の管の端部の溝部に図３に示すように中間部分に狭隘部を設定し、溝部内縁形状を端部挿入方向においては溝内方向に凸に、管抜け方向においては溝外方向に凸に形成した。加えて狭隘部幅は突起部幅と同一又は小さめの幅に設定したので、この部位が２つのパイプの抜け抑止形状として作用する。よって新たな部品を設けることなく溝部形状を所定の形状にすることのみで、２つの管の抜けを防止し作業性を大幅に向上することが出来る。
【考案の効果】
【００１５】
本考案により、一方の管を他方の管に挿入して締結部材を用いて互いに締結させる管接合において、２つの管の回転方向の位置を拘束する手段を加えることができ、作業効率を大幅に向上させることが出来る。
【図面の簡単な説明】
【００１６】
【図１】本考案に係る溝部と突起部による回り止め構造を備えた管接合構造の正面図および断面図である。
【図２】本考案に係る実施例１の管接合構造の断面図である。
【図３】本考案に係る実施例２の管接合構造の断面図である。
【図４】本考案に係る抜け抑止構造を備えた溝部の拡大図である。
【図５】本考案に係る突起部１３の断面図である
【図６】特開２００５−１９５１０１公報に記載された従来技術の接合構造の断面図である。
【図７】狭隘部１８の溝幅を変えながら抜け抑止力を実験により確認し、実験により得られた溝幅（ｍｍ）と荷重（Ｎ）の関係をグラフにしたものである。
【考案を実施するための形態】
【００１７】
以下、本考案の実施例について図面に基づいて説明する。尚、以下の実施形態の説明は、本質的な例示に過ぎず、本考案、その適用物或いはその用途を制限することを意図するものではない。
【００１８】
（管接合構造）
本考案にかかる実施例１の管接合構造は、図１、２に示すように第１の管１の外径が第２の管２の内径にほぼ等しくなるようにして互いに所定の長さで挿入させ、更に締結部材２０で互いの端部を拘束することにより接合する。この際端部に拘束力を発生させかつシール効果を発生させるため、内挿される第１の管の端部から所定の部位にバルジ加工によるバルジ部３を全周に施工し、外挿される第２の管の端部に折り曲げ加工、この実施例ではカール加工を施工する。本願では管の一部を加工により膨出させ全周に突起を形成した部分をバルジ部と呼ぶことにする。互いに対応する形状に加工された前記バルジ部３と前記カール加工部４を密着するように締結部材２０で締め付けることで２つの管の締結を行う。締結はねじ部２１を所定のトルクで締め付けることにより行う。本実施例では締結部９が完全な機密性が要求されない低圧部に設けられることから、締結部分にガスケットなどのシール材は使用していない。
【００１９】
（溝部構造）
接合部９には図２に示すように、第１の管１の端部から所定の長さにわたって溝部１１が設けられている。また溝部１１入り口部には面取り部１２が設けられている。一方第２の管２には管端の折り曲げ部、この場合はカール加工部４から所定の距離をおいて突起部１３が形成されている。溝部１１の幅と突起部１３の前記溝幅に対応する方向の幅は、溝幅の方が若干大きめに設定されている。
第１の管１の溝部１１、面取り部１２の形状は一般的なピアス加工、また第２の管２の突起部１３は一般的なプレス加工により成型することが可能である。
【００２０】
（組み付け）
作業者による組み付け時には、作業者は第１の管１の溝部１１と第２の管２の突起部１３（外周側からは凹部として確認できる）を確認しながら突起部１３が溝部１１に入るように２つの管の相対的角度を調整しながら管の挿入作業を行う。この際面取り部１２の効果により、２つの管に相対的角度に多少のずれがあっても円滑に挿入作業が行われる。
【００２１】
一旦挿突起部１３が溝部１１に入ると溝に沿って突起部１３が移動し、所定の相対的な角度を保ちながら、バルジ部３とカール加工部４を密着するまで作業者は挿入作業を行う。この状態では突起部１３は溝部の先端部に密着した状態ではなく、先端部には多少の余裕が残されている。
【００２２】
次に作業者は第１の管１と第２の管２が互いに抜けないように双方に手を添えながら、締結部材２０を、突起部３とカール加工部４両方をカバーするように装着し、締結部材２０のねじ部２１の締め付けを電動ドライバーなどで行う。この作業は片手で２つの管が抜けないよう保持しながらもう一方の手で締結部材２０のセット及びねじ部２１の締め付けを行わねばならずやや困難な作業である。
【００２３】
これにより所定の締め付け力がねじ部２１に加えられると、締結部材２０が傘状に形成されている効果により前記締め付け力が傘部から突起部３とカール加工部４に伝達されて、両者を当接する方向に力が作用して所定の力で管同士の締結が行われる。前記のように溝先端部１４に余裕があるので突起部１３が更に溝部先端部方向に移動し、バルジ部３とカール加工部４の完全な密着が行われる。
【００２４】
（実施例２）
次に本考案にかかる実施例２について、図３、図４を基に説明する。
実施例２の構成は実施例１の構成と比較して、第２の管２の端部がカール加工ではなく折り曲げ加工がされている点、第１の管のバルジ部３との間にガスケット１５か配置される点、溝部に抜け抑止形状が形成された点が異なり、他の部分は共通しているので、以下異なる点について詳しく説明する。
【００２５】
実施例２の構成は高圧のガスが流れる部分に使われるので、図３に示すように第２の管２の端部が全周に渡って第１の管のバルジ部３と対応する形状に折り曲げ加工が施され、バルジ部３と折り曲げ加工部１６との間にガスケット１５か配置される。締結部材２０をセットしてねじ部２１を締め付けると、ガスケットが圧縮され折り曲げ加工オーバーハング部がバルジ部３に当接してねじ部２１が所定のトルクを発生すると締め付け作業を完了する。
【００２６】
実施例２の溝部１１の基本構成は実施例１と同様だが、図４に示すように溝導入部２４と溝先端部１４の中間部分に狭隘部１８が設定され、この部分が突起部３の抜け方向への通過を阻害し、２つの管の抜けが防止される。
【００２７】
具体的には図４のＢ寸法に対し突起部１３の根元部分の同方向の寸法は同一又は少し大きめに製作されており突起部の通過に際して狭隘部１８の微小な弾性変形が必要となるよう設定されている。そのため２つの管が抜けようとする際はこの変形力が抵抗力となって抜けが阻害される。また図４に示すように狭隘部１８をはさんで、導入部２４側は溝中心方向に向かって凸形状に溝外延が形成されており、突起部３の通過が容易になるように構成されている。逆に狭隘部１８をはさんで、抜け防止部１９側は溝中心方向に向かって凹形状に溝外延が形成されており、突起部３の通過の際抵抗となるよう構成されている。これらにより抜け抑止機能が発揮される。
【００２８】
本実施例２ではＡ＝９ｍｍ，Ｂ＝６ｍｍ、Ｃ＝１０ｍｍを採用した。また突起部３の断面形状は図５に示すように第２の管２から球面状に管内方向に所定の高さを突起させ、管表面とを所定のＲでつないだ形状としている。
【００２９】
抜け抑止機能の確認のため、狭隘部１８の溝幅を変えながら十分な抜け抑止力が発生するか実験により確認した。表１に実験により得られた溝幅（ｍｍ）と荷重（Ｎ）の関係を示す。溝幅は２ヶ所の測定値の平均値で示している。また荷重は第１の管１と第２の管を互いに挿入セット後、軸方向の荷重をかけ突起部１３が狭隘部１８を通過したときの荷重で示している。本実施例２での突起部１３根元の径は約９ｍｍだが実際には第１の管１と第２の管のクリアランスなどを考慮すると狭隘部１８と接触する部分での突起部１３の径は溝幅に近い値になっていると考えられる。
【表１】
0003215809.tif 000003
【００３０】
また図７は表１をグラフにしたものだが、排気系の重量を考慮すると組み付け時に第１の管１と第２の管の抜けを抑止するためには約４４．１Ｎの抵抗荷重が必要と考えられる。グラフから溝幅６．６１ｍｍ以下であればこの要件を満たすことが確認できた。
【００３１】
溝部に抜け抑止形状が形成された効果により、作業者は２つの管が抜けないよう手で保持する必要がないので、締結部材２０のセットと、ねじ部２１の締め付けに専念でき作業性が大幅に向上することが出来る。
【符号の説明】
【００３２】
１  第１の管
２  第２の管
４  カール加工部
９  締結部
１１  溝部
１２  面取り部
１３  突起部
１４  溝先端部
１５  ガスケット
１６  折り曲げ加工部
１７  折り曲げ加工オーバーハング部
１８  狭隘部
１９  抜け防止部
２０  締結部材
２１  ねじ部
２４  導入部
【図１】
0003215809.tif 000004
【図２】
0003215809.tif 000005
【図３】
0003215809.tif 000006
【図４】
0003215809.tif 000007
【図５】
0003215809.tif 000008
【図６】
0003215809.tif 000009
【図７】
0003215809.tif 000010